(57)【要約】【課題】設計コストが低く、且つ美的外観が優れたイヤホン用スピーカモジュールを提供する。【解決手段】イヤホン筐体とスピーカモジュールとを備えるイヤホンが提供される。スピーカモジュールは、イヤホン筐体の内部に配置される。スピーカモジュールはさらに、スピーカ筐体とスピーカユニットとを備える。スピーカ筐体は音響出し（emission）開口を有する。さらに、スピーカ筐体は共鳴室を構成する。スピーカユニットは共鳴室の内部に配置される。【選択図】図２
2007053719.tif 000002
【特許請求の範囲】
【請求項１】
共鳴室を構成し、音響出し開口を１つだけ有するスピーカ筐体（housing）と、
前記共鳴室の内部に配置されるスピーカユニットと
を備える、イヤホン用スピーカモジュール。
【請求項２】
電気ワイヤをさらに備え、前記スピーカ筐体は前記電気ワイヤが前記スピーカユニットに電気的に接続し、そこを通って前記スピーカ筐体の外に出るようになっているワイヤ出し（output）開口を有する、請求項１に記載のイヤホン用スピーカモジュール。
【請求項３】
前記音響出し開口を覆う、複数の第１音響開口を有する蓋体をさらに備える、請求項１に記載のイヤホン用スピーカモジュール。
【請求項４】
前記スピーカ筐体に配置される耳当て部（ear pad：イヤーパッド）をさらに備える、請求項１に記載のイヤホン用スピーカモジュール。
【請求項５】
イヤホン筐体と、
該イヤホン筐体の内部に配置される、共鳴室を構成するスピーカ筐体を有するスピーカモジュールであって、前記スピーカ筐体は音響出し開口を１つだけ有するスピーカモジュールと、
前記共鳴室の内部に配置されるスピーカユニットと
を備える、イヤホン。
【請求項６】
前記スピーカモジュールは、電気ワイヤをさらに有し、前記スピーカ筐体及び前記イヤホン筐体はそれぞれ、ワイヤ出し開口を有し、それにより、前記電気ワイヤが前記スピーカユニットに電気的に接続され、前記ワイヤ出し開口を通って前記イヤホン筐体の外に出るようになっている、請求項５に記載のイヤホン。
【請求項７】
前記スピーカモジュールは、前記音響出し開口を覆う、複数の第１音響開口を有する蓋体をさらに備える、請求項５に記載のイヤホン。
【請求項８】
前記イヤホン筐体に配置される耳当て部をさらに備える、請求項５に記載のイヤホン。
【請求項９】
前記イヤホン筐体に配される複数の飾り穴をさらに有する、請求項５に記載のイヤホン。
【発明の詳細な説明】
【技術分野】
【０００１】
本発明は電子製品に関する。より詳細には、本発明はイヤホン及びイヤホン用スピーカモジュールに関する。
【背景技術】
【０００２】
技術の絶え間ない進歩に伴い、より軽量且つ小型の電子製品が製造されている。電子製品がより軽量且つ小型になるにつれ、ますます多くの人々が、ラジオ又は携帯型音楽プレーヤー等の小型製品を携帯するようになっている。さらに、ＭＰ３プレーヤー、携帯電話、携帯情報端末（ＰＤＡ）、及びノートブック型パソコン等、パーソナルデジタル製品の大衆化により、かかる機器が日常生活に必要不可欠なものとなっている。さらに、ラジオとＭＰ３の機能を組み合わせた携帯電話が既に市場に出回っている。
【０００３】
上記の電子製品はすべて携帯可能であり、公共の場で用いることができるため、これらの製品のユーザは、他者の妨げとならずに私用で音楽又は音声メッセージを聴くことを好むであろう。したがって、イヤホンは、たいていの電子製品に合う付属品として必要不可欠となっている。さらに、イヤホンは、ユーザがはっきり聞くことができるとともに、空中での雑音が混じった伝達音（transmission）とは異なる音声メッセージの内容を区別することができるように、より優れた音響伝達を受聴者に提供することができる。特に、この場合は受聴は、運動、運転、激しい行動、又は騒音環境の中での移動等の外での活動による影響をほとんど受けない。
【０００４】
図１は、従来のイヤホンの概略断面図である。図１に示すように、従来のイヤホン１００は主に、イヤホン筐体１１０と、スピーカユニット１２０と、蓋体１３０とを備える。蓋体１３０は、スピーカユニット１２０が生成する音響を外部に伝達する複数の第１音響開口１３２を有する。従来の技術では、イヤホン１００の音質は、イヤホン筐体１１０及び蓋体１３０の組立体から構成された共鳴室Ｓ１０により生じる共鳴効果によって調整することができる。さらに、音質は、イヤホン筐体１１０内に複数の第２の音響開口１１２を選択的に形成することによって調整することもできる。イヤホン筐体に付加的な第２の音響開口１１２を設けることにより、イヤホン筐体１１０のデザイン（設計）の多様性が増す。
【発明の開示】
【発明が解決しようとする課題】
【０００５】
しかしながら、イヤホンの音質を調整する上記の方法は、最適な音質を有するイヤホンを製造するまでに何らかの試行錯誤及びいくつかの設計改善を必要とする。さらに、種々の収納形式を有する一連のイヤホンが望まれる場合、収納形式ごとに音響開口のサイズ及び位置を調整せねばならない。その結果、イヤホンの設計コストが増すことになる。さらに、開口のサイズ及び位置は、イヤホンの美的アピールにも影響を及ぼすため、イヤホンの音質を最適にする際に同じく考慮されねばならない。したがって、優れた音質を有する美的アピール性のあるイヤホンを最小限のコストで製造することが、イヤホン製造の重要な課題である。
【０００６】
したがって、本発明の少なくとも１つの目的は、設計コストが低く、且つ美的外観が優れたイヤホン用スピーカモジュールを提供することである。
【０００７】
本発明の少なくとも第２の目的は、イヤホンの設計コストを下げ、イヤホンの美的アピールを高めるために、上記のスピーカモジュールを用いるイヤホンを提供することである。
【課題を解決するための手段】
【０００８】
これら及び他の利点を達成するために、また、本明細書において具現されているとともに広く記載されている本発明の目的にしたがって、本発明は、イヤホン用スピーカモジュールを提供する。スピーカモジュールは、スピーカ筐体とスピーカユニットとを備える。スピーカ筐体は、共鳴室を形成し、音響出し開口を有する。スピーカユニットは、共鳴室の内部に配置される。
【０００９】
イヤホン用スピーカモジュールの一実施形態では、イヤホン用スピーカモジュールは、音響出し開口を覆う、複数の第１音響開口を有する蓋体をさらに備える。さらに、イヤホン用スピーカモジュールは、スピーカ筐体に配置される耳当て部をさらに備える。
【００１０】
さらに、例えば、イヤホン用スピーカモジュールは電気ワイヤをさらに備えてもよく、スピーカ筐体はワイヤ出口開口をさらに備えていてもよい。電気ワイヤはスピーカユニットに電気的に接続され、ワイヤ出口開口を通ってスピーカ筐体から出る。
【００１１】
本発明は、イヤホンも提供する。イヤホンは、イヤホン筐体とスピーカモジュールとを備える。スピーカモジュールは、イヤホン筐体の内部に配置される。さらに、スピーカモジュールは、上記のスピーカ筐体及びスピーカユニットを備える。
【００１２】
イヤホンの一実施形態では、スピーカモジュールは、蓋体をさらに備える。蓋体は、複数の第１音響開口を有し、音響出し開口を覆う。さらに、イヤホンは、イヤホン筐体に配置された耳当て部をさらに備える。
【００１３】
さらに、スピーカモジュールは、電気ワイヤをさらに備える。スピーカ筐体及びイヤホン筐体はそれぞれ、ワイヤ出し開口を有する。電気ワイヤは、スピーカユニットに電気的に接続され、ワイヤ出し開口を通ってイヤホン筐体から出る。さらに、イヤホンは、イヤホン筐体に配された複数の飾り穴もさらに有する。
【発明の効果】
【００１４】
本発明では、イヤホンは、イヤホン筐体とスピーカモジュールとを有する。さらに、スピーカモジュールのスピーカ筐体は、音響出し開口を有する。スピーカモジュールは既に音質調整がなされている。言い換えれば、スピーカモジュールの音質は、安定した無変の音を生成するように適正に調整されているため、スピーカモジュールは様々な形式のイヤホン筐体の内部に設置することができる。
【００１５】
上記の概説及び以下の詳細な説明はいずれも例示的であり、特許請求されている本発明のさらなる説明を行うことを目的としていることを理解されたい。
【発明を実施するための最良の形態】
【００１６】
添付の図面は、本発明のさらなる理解を提供するために備えられており、本明細書に組み込まれ、本明細書の一部を構成する。図面は、本発明の実施形態を示し、本明細書とともに本発明の原理を説明する役割を果たす。
【００１７】
次に、本発明の好適な実施形態（例が添付図面に示される）の説明を詳細に行う。可能な限り、同一又は同様の部品を参照するために図面及び説明には同一の符号が用いられる。
【００１８】
図２は、本発明の第１の実施形態によるイヤホンの概略断面図である。図２に示すように、本実施形態のイヤホンは、イヤホン筐体２１０とスピーカモジュール２２０とを備える。スピーカモジュール２２０は、イヤホン筐体２１０の内部に配置される。スピーカモジュール２２０は、スピーカ筐体２２２及びスピーカユニット２２４をさらに備える。スピーカ筐体２２２は、共鳴室Ｓ２０を構成し、スピーカユニット２２４は共鳴室Ｓ２０の内部に配置される。スピーカユニット２２４は、例えばスピーカ振動システム及び磁電回路を備える。スピーカ振動システムは、電気コイル上の振動膜とすることができる。スピーカユニット２２４は、上記の構造に限定されないことは明らかである。実際、いかなるタイプのスピーカユニット２２４も本実施形態に用いることができる。
【００１９】
本実施形態のスピーカ筐体２２２は、音響出し開口２２２ａを１つしか有さないことに留意すべきである。言い換えれば、スピーカユニット２２４が生成する音は、共鳴室Ｓ２０内でリバーブしてから音響出し開口２２２ａを介して外部に伝わる。本実施形態のスピーカモジュール２２０は、音質及び音響伝達に影響を及ぼす種々の要因を考慮に入れた設計を組み込んでいる。したがって、イヤホン筐体２１０内に配置されたスピーカモジュール２２０は、非常に高品質な音を生成することができる。言い換えれば、イヤホン筐体２１０の外観は、イヤホン２００が生成する実際の音質に影響をほとんど与えることはない。したがって、イヤホン筐体２１０は、市場の需要に見合った複数の設計を有することができる。
【００２０】
図３は、本発明の第２の実施形態によるイヤホンの概略断面図である。図３に示すように、本実施形態のイヤホン３００は、第１の実施形態のイヤホン２００と同様である。主な１つの相違点は、本実施形態のイヤホン３００が漫画デザインの形にされたイヤホン筐体３１０を有するという点である。本実施形態では、スピーカモジュール３２０は、高品質の音を生成することが可能であり、イヤホン筐体３１０は、商業的な考慮から種々の形状を有するように設計することができ、その場合は、スピーカモジュール３２０はイヤホン筐体３１０内に設置される。言い換えれば、新たなイヤホン筐体３１０の組込みによりもとのモジュール設計を再調整又は変更する必要がない。したがって、新たなイヤホン設計は、さらに競合的であるとともにイヤホン市場のより大きなシェアを得ることができるように、追加の製造コストを生じることなく、迅速に実施することができる。
【００２１】
音質を改善するとともにイヤホン筐体デザインの多様性を増やすために、イヤホン筐体に複数の音響開口を選択的に設置するという従来の技術に比して、本実施形態は、複数のイヤホン筐体設計を容易に提供することができる。さらに、イヤホンは、調律されたスピーカモジュールから安定した無変の音を容易に生成することができる。言い換えれば、イヤホンのスピーカモジュールの設計後に、従来技術におけるように同一のスピーカモジュールが、音響開口のサイズ及び位置を調整する必要なく、同じスピーカモジュールをあらゆる種類のイヤホン筐体に適用することができる。
【００２２】
図４は、本発明の第３の実施形態によるイヤホンの概略断面図である。図４に示すように、本実施形態のイヤホン４００は、第１の実施形態のイヤホン２００と同様である。主な相違点は、イヤホン４００がさらに数個の追加要素を有するという点である。例えば、イヤホン４００のスピーカモジュール４２０は、スピーカユニット４２４に電気的に接続された電気ワイヤ４２６をさらに備える。電気ワイヤ４２６は、スピーカユニット４２４を駆動して音を出すために用いられる。さらに、スピーカ筐体４２２及びイヤホン筐体４１０はそれぞれワイヤを出す開口Ｏ１及びＯ２を有する。電気ワイヤ４２６は、ワイヤ出し開口Ｏ１及びワイヤ出し開口Ｏ２を通り、イヤホン筐体４１０から出る。電気ワイヤ４２６のワイヤ体の一部は、スピーカ筐体４２２のワイヤ出し開口Ｏ１及びイヤホン筐体４１０のワイヤ出し開口Ｏ２間にあることに留意されたい。したがって、スピーカモジュール４２０により生成される音がスピーカ筐体４２２のワイヤ出し開口Ｏ１を介して外部に伝えられることはほとんどあり得ないであろう。スピーカユニット４２４が無線信号受信システムを配備している場合、電気ワイヤ４２６を使用する必要はないか、又はワイヤ出し開口Ｏ１及びワイヤ出し開口Ｏ２を提供する必要はないことは明らかである。
【００２３】
さらに、本実施形態のイヤホン４００のスピーカモジュール４２０は、蓋体４３０をさらに有する。蓋体４３０は、複数の第１音響開口４３２を有し、音響出し開口４３０ａを覆う。イヤホン４００は、イヤホン筐体４１０に配置された複数の飾り穴４４０を有する。上記の飾り穴４４０により、イヤホン４００に利用可能なデザインの多様性が増す。イヤホンの使用者の快適さを高めるために、イヤホン４００は、イヤホン筐体４１０に配置される耳当て部４５０をさらに有する。耳当て部４５０は、例えば、ゴム又は他の適した材料を用いて作製される。本実施形態のイヤホン筐体４１０が種々の他の設計様式を有することができることは明らかである。
【００２４】
図５は、本発明の第４の実施形態によるイヤホンの概略断面図である。図５に示すように、本発明のイヤホン５００は、第３の実施形態のスピーカモジュール４２０と同様である。言い換えれば、イヤホン５００はスピーカモジュールである。さらに、イヤホン５００とスピーカモジュール４２０の主な相違点は、耳当て部５５０の外形が、スピーカ筐体５２２と合致しており、耳当て部５５０が落ちないようなデザインとなっている。
【００２５】
本発明のイヤホンは、多数の方法で装着されることができることに留意されたい。例えば、イヤホンは、耳栓式イヤホン、耳掛け式イヤホン、ブルートゥースイヤホン、又はイヤーマフ式イヤホンとすることができる。言い換えれば、本発明が提供するイヤホンは、どのタイプの装着様式のイヤホンにも適用することができる。
【００２６】
当業者には、本発明の範囲又は精神から逸脱することなく、種々の変更及び変形を本発明の構造に行うことができることが分かるであろう。上記に鑑みて、本発明は、添付の特許請求の範囲及びその等価物内にある限り、本発明がその変更及び変形を含むことを意図する。
【図面の簡単な説明】
【００２７】
【図１】従来のイヤホンの概略断面図である。
【図２】本発明の第１の実施形態によるイヤホンの概略断面図である。
【図３】本発明の第２の実施形態によるイヤホンの概略断面図である。
【図４】本発明の第３の実施形態によるイヤホンの概略断面図である。
【図５】本発明の第４の実施形態によるイヤホンの概略断面図である。
【符号の説明】
【００２８】
２００、３００、４００、５００    イヤホン
２１０、３１０    イヤホン筐体
２２０、３２０、４２０    スピーカモジュール
２２２ａ  音響出し開口
２２２、４２２    スピーカ筐体
２２４、４２４    スピーカユニット
４２６    電気ワイヤ
Ｓ２０    共鳴室
Ｏ１、Ｏ２    ワイヤ出しの開口
【図１】
2007053719.tif 000003
【図２】
2007053719.tif 000004
【図３】
2007053719.tif 000005
【図４】
2007053719.tif 000006
【図５】
2007053719.tif 000007